(57)【要約】【課題】ドリル穴加工を行なう際、ドリル送り速度を大きくしても、加工後の穴位置精度及び貫通孔の内壁粗さという加工品質が良好であり、また、ドリルの刃先の欠け及びドリル折れも発生しないすぐれた穴開けドリルとそれを用いた穴開け加工方法を提供する。【解決手段】ドリル径が０．３０〜０．４０ｍｍの範囲にあり、アンダーカット径は、前記ドリル径との差で０．０１〜０．０２ｍｍの範囲内でアンダーカット径が小さくなる寸法形状であり、かつ所定範囲の寸法形状を有するウエブ厚、ネジレ角、刃先二番角、溝幅比、先端角、刃長を備え、Ｃｏ含有量が５．５〜９．５重量％の範囲内のＷＣ−Ｃｏ超硬合金で形成されていることを特徴とする穴開けドリル。【選択図】図１
2005118923.tif 000002
【特許請求の範囲】
【請求項１】
ドリル径が０．３０〜０．４０ｍｍの範囲にあり、アンダーカット径は、前記ドリル径との差で０．０１〜０．０２ｍｍの範囲内でアンダーカット径が小さくなる寸法形状であり、かつ所定範囲の寸法形状を有するウエブ厚、ネジレ角、刃先二番角、溝幅比、先端角、刃長を備え、Ｃｏ含有量が５．５〜９．５重量％の範囲内のＷＣ−Ｃｏ超硬合金で形成されていることを特徴とする穴開けドリル。
【請求項２】
ウエブ厚はドリル径の０．３０〜０．４０倍の範囲であることを特徴とする請求項１に記載の穴開けドリル。
【請求項３】
ネジレ角は４０〜４５°の範囲であることを特徴とする請求項１に記載の穴開けドリル。
【請求項４】
刃先二番角は１０〜１５°の範囲であることを特徴とする請求項１に記載の穴開けドリル。
【請求項５】
溝幅比は２．０〜２．５倍の範囲であることを特徴とする請求項１に記載の穴開けドリル。
【請求項６】
ウエブ厚はドリル径の０．３０〜０．４０倍の範囲であり、ネジレ角は４０〜４５°の範囲であり、刃先二番角は１０〜１５°の範囲であり、溝幅比は２．０〜２．５倍の範囲であることを特徴とする請求項１に記載の穴開けドリル。
【請求項７】
先端角は１３０〜１４０°の範囲であることを特徴とする請求項１または請求項６に記載の穴開けドリル。
【請求項８】
刃長は５．０〜６．０ｍｍの範囲であることを特徴とする請求項１または請求項６に記載の穴開けドリル。
【請求項９】
先端角は１３０〜１４０°の範囲であり、刃長は５．０〜６．０ｍｍの範囲であることを特徴とする請求項１または請求項６に記載の穴開けドリル。
【請求項１０】
請求項１または請求項６に記載の穴開けドリルを、所定の回転数、および所定のドリル送り速度で被加工物に穴開けを行う穴開け加工方法。
【請求項１１】
回転数が１２万ｒｐｍ、ドリル送り速度が１３０〜２００ｉｐｍであることを特徴とする請求項１０に記載の穴開け加工方法。
【請求項１２】
被加工物はガラス繊維を含むものであることを特徴とする請求項１０に記載の穴開け加工方法。
【発明の詳細な説明】
【技術分野】
【０００１】
本発明は、板状物に穴を開ける穴開けドリルに関するものであり、さらに詳細には、プリント配線板の製造プロセスにおける貫通孔を形成する穴開けに適した穴開けドリルおよびそれを用いた穴開け加工方法に関するものである。
【背景技術】
【０００２】
従来からプリント配線板の製造方法においては、層間接続構造の形成のために、プリント配線板にドリルで貫通孔を開けることが行われている。
【０００３】
近年では、電子機器の小型化・高密度化に伴い、産業用にとどまらず民生用の分野においてもプリント配線板の高機能化及び価格競争力の強化が強く要求されるようになってきた。
【０００４】
特に、プリント配線板における価格競争力の強化については、その生産性を向上させる製造方法が重視されるようになってきている。そのため、ドリルでの穴開けを行なうＮＣ穴加工において、その生産性を向上させようとするためには、そのドリルの穴開け方向への送り速度を大きくする穴開け加工方法への要望が高くなってきている。
【０００５】
なお、この出願の発明に関連する先行技術文献情報としては、例えば、特許文献１が知られている。
【特許文献１】特開２００２−２２４９０７号公報
【発明の開示】
【発明が解決しようとする課題】
【０００６】
しかしながら、従来のドリルを使用したプリント配線板への穴開け方法では、生産性を上げるためにドリル送り速度を大きくさせると、穴加工時のドリル刃先の摩耗量の増大が発生し、穴加工する際の穴位置精度の悪化を生じる可能性があった。
【０００７】
また、ドリル送り速度を大きくすると、単位時間当りの加工量が増加することとなり、その際に生じる基板の切屑量も通常より多く発生してしまう。そのため、切屑の排出性が悪化し、それによりドリル加工後の基板内部の貫通孔の内壁粗さが大きくなるという加工品質の悪化を引き起こすという問題点を有していた。
【０００８】
また、この加工の際の切屑排出性の悪化は、基板加工時のドリルの切れ味を悪化させる。このため、基板に対する穴開けの際の加工に対するドリルへの負担が大きくなってしまい、ドリルの刃先の欠けやドリル折れが発生するという問題点を有していた。
【０００９】
本発明は、上記従来の課題を解決するもので、プリント配線板の穴加工を行なう際、ドリル送り速度を大きくさせても、加工後の穴位置精度及び貫通孔の内壁粗さという加工品質の指標を良好に保つものである。また、加工後のドリルの刃先の欠けやドリル折れの発生しないすぐれた穴開けドリルとそれを用いた穴開け加工方法を提供することを目的とするものである。
【課題を解決するための手段】
【００１０】
上記目的を達成するために、本発明は以下の構成を有する。
【００１１】
本発明の請求項１に記載の発明は、ドリル径が０．３０〜０．４０ｍｍの範囲にあり、アンダーカット径は、前記ドリル径との差で０．０１〜０．０２ｍｍの範囲内でアンダーカット径が小さくなる寸法形状であり、かつ所定範囲の寸法形状を有するウエブ厚、ネジレ角、刃先二番角、溝幅比、先端角、刃長を備え、Ｃｏ含有量が５．５〜９．５重量％の範囲内のＷＣ−Ｃｏ超硬合金で形成されていることを特徴とする穴開けドリルとしたもので、これにより、ドリル送り速度を大きくする場合にドリルが折れやすくなるという問題に対して、先端付近がやや太いアンダーカット形状を採用することで穴開けが進行した段階で、基板からドリルの中腹部にかかる負荷を低減するという効果を有する。
【００１２】
また、穴開けドリルの素材として、Ｃｏ含有量が５．５〜９．５重量％の範囲内のＷＣ−Ｃｏ超硬合金を採用した。この理由は次の通りである。
【００１３】
すなわち、Ｃｏ含有量が大きすぎると、材質的には脆くなるためドリル折れには強くなるが、ドリルの耐摩耗性は弱くなり、穴位置精度が確保できなくなる。一方、Ｃｏ含有量が小さすぎると、ドリル折れの発生となる。Ｃｏ含有量がこの範囲であれば、素材自身の剛性が高く、また、ドリルの耐摩耗性も維持できるため、ドリル折れもなく、穴位置精度も確保できるのである。
【００１４】
本発明の請求項２に記載の発明は、ウエブ厚はドリル径の０．３０〜０．４０倍の範囲であることを特徴とする請求項１に記載の穴開けドリルとしたもので、ドリル送り速度を大きくした場合、穴加工時のドリル刃先の摩耗量の増大が発生し、穴加工する際の穴位置精度が悪化するという問題に対し、ウエブ厚を比較的大きくすることにより、ドリルの剛性が増し、ドリル送り速度を大きくした穴加工においても、穴位置精度の悪化を軽減させるという作用効果を有する。
【００１５】
本発明の請求項３に記載の発明は、ネジレ角は４０〜４５°の範囲であることを特徴とする請求項１に記載の穴開けドリルとしたもので、従来のドリル送り速度においては、ネジレ角が小さい方が切屑の排出性は良いとされていた。これは、ドリル穴加工時の切屑は、螺旋状を形成した溝が切屑の排出経路となり、その溝に沿って排出される構造であるため、ネジレ角が小さい場合には、切屑の排出経路が短くなるためである。しかし、ドリル送り速度を大きくする場合は、対象板のドリルの加工所要時間がより短くなるため、切屑排出のための所要時間が短くなる。また、より切屑の排出方向が軸方向ではなく円周方向となるため、よりネジレ角を４０〜４５°として従来より大きくした方が切屑の排出性がより良好となるという作用効果を有する。
【００１６】
本発明の請求項４に記載の発明は、刃先二番角は１０〜１５°の範囲であることを特徴とする請求項１に記載の穴開けドリルとしたもので、ドリル送り速度を大きくすると、刃先の欠けの発生が多くなるという問題に対して、ドリル刃先部の刃先二番角を従来より小さくすることにより、プリント配線板を穴加工する際の刃先の強度がより強くなる形状とし、刃先の欠けを防止するという作用効果を有する。
【００１７】
本発明の請求項５に記載の発明は、溝幅比は２．０〜２．５倍の範囲であることを特徴とする請求項１に記載の穴開けドリルとしたもので、溝間幅に対する溝幅の比率、すなわち溝幅比を従来と比較して大きくすることによって、溝幅を広げて切屑の排出経路を確保することができる。これにより、ドリルの剛性を上げるためにウエブ厚を大きくすることで、溝が浅くなってしまうという欠点を補うことができ、切屑（特に導電層の金属成分）の排出性を向上させてドリルへの負荷を低減するという作用効果を有する。
【００１８】
本発明の請求項６に記載の発明は、ウエブ厚はドリル径の０．３０〜０．４０倍の範囲であり、ネジレ角は４０〜４５°の範囲であり、刃先二番角は１０〜１５°の範囲であり、溝幅比は２．０〜２．５倍の範囲であることを特徴とする請求項１に記載の穴開けドリルとしたもので、先端付近がやや太いアンダーカット形状を採用することでドリルにかかる負荷を低減するという効果と、ドリルの高剛性・高耐摩耗性によるドリル折れの防止および穴位置精度も確保できるという作用効果を有するものの、材質的にはやや脆い。
【００１９】
これを補うために、ウエブ厚を比較的大きくすることによるドリル剛性の向上、ネジレ角を４０〜４５°とすることによる切屑排出性の向上、ドリル刃先部の刃先二番角を従来より小さくすることによる刃先強度の強化、溝幅比を従来と比較して大きくすることによる切屑排出性の向上とドリルへの負荷を低減するという、ドリルの形状的な要素による作用効果を組み合わせることによって、ドリル強度を確保し、ドリル送り速度の大きい穴開け加工を容易に行うことができるという作用効果を有する。
【００２０】
本発明の請求項７に記載の発明は、先端角は１３０〜１４０°の範囲であることを特徴とする請求項１または請求項６に記載の穴開けドリルとしたもので、先端角を従来より大きく（鈍角）することによって、先端部の強度を確保し、プリント配線板に対する接触の瞬間に起こるドリル欠けを防止できるという作用効果を有する。
【００２１】
本発明の請求項８に記載の発明は、刃長は５．０〜６．０ｍｍの範囲であることを特徴とする請求項１または請求項６に記載の穴開けドリルとしたもので、刃長を従来より長めにすることで、プリント配線板を多数重ねて一度に穴開けすることができ生産性を向上するという効果を有する。また、刃長を６．０ｍｍ以下とすることで、長すぎることによるドリル剛性の低下という弊害を生じることなく、ドリル折れの発生や穴位置精度の悪化を防止するという作用効果を有する。
【００２２】
本発明の請求項９に記載の発明は、先端角は１３０〜１４０°の範囲であり、刃長は５．０〜６．０ｍｍの範囲であることを特徴とする請求項１または請求項６に記載の穴開けドリルとしたもので、ドリル欠けを防止しつつ生産性をも向上するという作用効果を有する。
【００２３】
本発明の請求項１０に記載の発明は、請求項１または請求項６に記載の穴開けドリルを、所定の回転数、および所定のドリル送り速度で被加工物に穴開けを行う穴開け加工方法としたもので、本発明の穴開けドリルは、ドリル剛性を向上させ、さらにドリルの加工時に発生する切屑排出性を向上させたドリルである。この穴開けドリルを用いて被加工物に穴開けを行う穴開け加工方法を採用することで、ドリル送り速度を大きくしても、加工後の穴位置精度及び加工後の基板内部の貫通孔の内壁粗さという加工品質が良好であり、また、加工後のドリルの刃先の欠け及びドリル折れも発生しないすぐれた穴開け加工方法を実現できるという作用効果を有する。
【００２４】
本発明の請求項１１に記載の発明は、回転数が１２万ｒｐｍ、ドリル送り速度が１３０〜２００ｉｐｍであることを特徴とする請求項１０に記載の穴開け加工方法としたもので、貫通孔の内壁粗さという加工品質が良好であり、また、加工後のドリルの刃先の欠け及びドリル折れが発生しない穴開け加工方法での加工条件を提供するものである。
【００２５】
本発明の請求項１２に記載の発明は、被加工物はガラス繊維を含むものであることを特徴とする請求項１０に記載の穴開け加工方法としたもので、ガラス繊維を含む被加工物としての対象板に対して、穴位置精度の向上に特に効果がある。
【発明の効果】
【００２６】
本発明によれば、ドリル穴加工を行なう際、ドリル送り速度を大きくさせても、加工後の穴位置精度及び加工後の基板内部の貫通孔の内壁粗さという加工品質の指標を良好に保ち、また、加工後のドリル刃先の欠けやドリル折れの発生しないすぐれた穴開けドリルとそれを用いた穴開け加工方法を実現できるものである。
【発明を実施するための最良の形態】
【００２７】
（実施の形態１）
本実施の形態は、プリント配線板の製造工程において、０．３５ｍｍ程度の直径の貫通孔を開けるための穴開けドリル及びそれを用いた穴開け方法についてである。
【００２８】
以下に、図面を参照しながら説明する。
【００２９】
図１は、本発明の実施の形態１における穴開けドリルの側面図であり、図２は、穴開けドリル１のアンダーカット部２２の断面図である。
【００３０】
図１において、螺旋状に溝１１が切られた刃部３１と、工作機器に取り付けるためのシャンク部３２とを有しており、その刃部３１のうち、さらに先端付近はそれ以外の部分よりやや太径の先端部２１と、その先端部２１を除いた部分のアンダーカット部２２とで構成されている。また、刃部３１のうち、溝１１と溝１１との間の部分を溝間１２といい、その穴開けドリル１の溝１１は、二重の螺旋状を形成している。
【００３１】
穴開けドリル１の各部寸法等を以下のように表示する。
【００３２】
すなわち、先端部２１の直径をドリル径ｄ、アンダーカット部２２の直径をアンダーカット径ｕ、刃部３１の全長を刃長Ｌ、刃部３１の先端から溝１１の終端までの長さを溝長Ｍ、溝１１の軸方向における幅を溝間幅ａ、溝間１２の軸方向における幅を溝幅ｂ、先端の開き角を先端角φ、先端の逃げ角を刃先二番角λ、溝１１が側面上で軸方向となす角をネジレ角θと称する。
【００３３】
また、図２において、穴開けドリル１のアンダーカット部２２の断面図における溝１１と溝１１に挟まれた部分の肉厚をウエブ厚ｗと表示する。
【００３４】
本実施の形態における穴開けドリル１は、ドリル径ｄを０．３５ｍｍ、アンダーカット径ｕを０．３３とした。
【００３５】
このように先端部２１とその後方との間にわずかの段差のあるアンダーカット形状とすることにより、穴開けが進行して先端部２１が対象板の裏面に突出した後の時点において、穴開けドリル１にかかる負荷を軽減させるためである。また、被加工物としての対象板に開いた貫通孔の内壁面と穴開けドリル１との外面との間にわずかの隙間ができるため、これにより穴開けドリル１のドリル折れを防止することができる。ドリル径ｄとアンダーカット径ｕとの差（ｄ−ｕ）は、あまり小さすぎる場合には意味がなく、逆に大きすぎるとアンダーカット径ｕの不足により、穴開けドリル１の強度自身が低下してしまうこととなる。このため、差（ｄ−ｕ）は、０．０１〜０．０２ｍｍの範囲内が適切であり、本実施の形態では、０．０２ｍｍとした。
【００３６】
また、穴開けドリル１ではウエブ厚ｗを０．１２ｍｍとした。これは、ドリル径ｄに対して０．３４倍に相当する。ドリル送り速度が大きい穴加工を行なうためには、ドリル径に対するウエブ厚ｗの比率をもっと大きく取らなければならない。しかしながら、あまりウエブ厚ｗを大きくしすぎると、溝１１の本来の役割である切屑の排出経路としての機能が低下してしまう。切屑が詰まってしまうと、局所的にドリルに大きな負荷がかかり、ドリル折れの発生となる。このため、この比率の好ましい範囲は、０．３０〜０．４０倍であり、本実施の形態では０．３４倍としたのである。
【００３７】
また、本実施の形態における穴開けドリル１は、ネジレ角θを４０°とした。従来の穴開けドリルでは、切屑排出性の点からネジレ角は小さい方が良いとされており、３０°程度である。
【００３８】
しかし、ドリル送り速度が大きくなると、対象板のドリルの加工所要時間がより短くなるため、切屑排出のための所要時間が短くなり、また、より切屑の排出方向が軸方向ではなく円周方向となるため、ネジレ角θを４０°とした実験の結果、良好な切屑排出性が得られた。
【００３９】
さらに、本実施の形態における穴開けドリル１は、刃先二番角λを１０°とした。従来の穴開けドリルでは、刃先二番角は２０°程度である。
【００４０】
しかし、ドリル送り速度が従来より大きくなると、基板の先端部２１に対する負荷が大きくなるため、刃先の欠けの発生が多くなってしまう。そこで、ドリル刃先部の刃先二番角λを小さくすることにより、穴加工をする際の対象板に対する刃先の強度がより強くなる形状としたのである。
【００４１】
さらに、本実施の形態における穴開けドリル１は、溝幅ｂの溝間幅ａに対する比率（以下、溝幅比と称す）を２．３としている。従来の穴開けドリルではこの溝幅比は小さく、１．６程度しかない。
【００４２】
しかし、前述のように本実施の形態では、ドリルの強度を確保するために、ウエブ厚ｗを大きくしている。これは溝１１が浅いことを意味するので、その分溝幅間ａを広げて溝１１の断面積を確保しないと切屑の排出性が悪くなるためである。このため、溝幅比は２．０〜２．５程度あることが望ましく、本実施の形態では２．３としたのである。
【００４３】
さらに、本実施の形態における穴開けドリル１は、ＷＣ−Ｃｏ超硬合金を素材とするとともに、そのＣｏ含有量を６．０重量％としている。従来の穴開けドリルでは、Ｃｏ含有量は１２％程度である。
【００４４】
しかし、本実施の形態のように、ドリル送り速度の大きいドリル穴加工を行なう場合には、素材のたわみによる穴位置精度の低下が問題となってくる。
【００４５】
特に、対象板がガラス繊維を含むものである場合には穴位置精度のズレが生じやすい。Ｃｏ含有量を５．５〜９．５重量％程度まで下げると、ＷＣ−Ｃｏ超硬合金の硬度が高く、穴位置精度を確保できるのである。そこで、本実施の形態では６．０重量％としたのである。
【００４６】
なお、Ｃｏ含有量の低減は、材料的には脆いというマイナス面も伴うことは避けられない。本実施の形態では、前述の各対策により、ドリルの形状的な要素でドリルの強度を確保することにより、ドリル送り速度の大きいドリル穴開け加工方法が実現できるのである。
【００４７】
そして、穴開けドリル１では、先端角φを１３０°としている。先端角φが小さいとドリル先端付近の強度が低くなる。ドリル径ｄ（及び穴径）が従来程度に大きすぎる場合にはドリル先端に局部的に大きな負荷が発生し、ドリルの直線性が損なわれてしまうため、穴位置精度が悪化となる。ドリル先端部の強度を確保し、かつ、生産性を向上させるため、先端角φを１３０〜１４０°程度とし、本実施の形態では１３０°とした。
【００４８】
そして、本実施の形態における穴開けドリル１は、刃長Ｌを５．２ｍｍとしている。また、溝長Ｍも５．０ｍｍ確保している。
【００４９】
通常、刃長を長めにすると、プリント配線板を多数重ねて一度に穴開けし、生産性を上げられるが、逆にあまり長すぎると加工する際にドリルの剛性が不足し、ドリル折れの発生や穴位置精度が悪化するためである。
【００５０】
本実施の形態では、前述の各方策によりドリルの形状的な要素でドリル強度を確保することによりドリル折れを防止しているため、ドリル送り速度が大きい場合においても、穴開け加工を実現することができるのである。
【００５１】
上記の本実施の形態における穴開けドリル１を用いた穴開け加工方法について、以下に説明する。
【００５２】
試験条件は、次のとおりとした。
【００５３】
まず、対象板は、ＦＲ−４相当であり、それに銅箔を重ね合わせたもの（板厚：ｔ＝１．２ｍｍ、銅箔１８μｍ）とし、３枚重ねでドリル穴開け加工を実施した。
【００５４】
また、あて板は、現在主流であるエントリーボード（ＬＥシート、三菱ガス化学製）を用い、捨て板としてはベーク板を用いた。
【００５５】
そして、ドリルの回転数を１２０Ｋｒｐｍとし、ドリル送り速度を２．４ｍ／ｍｉｎ、３．６ｍ／ｍｉｎ、４．２ｍ／ｍｉｎ、４．８ｍ／ｍｉｎの４条件で穴開け加工した。ここでは、回転数を一定としているため、各ドリル送り速度の設定により、それぞれの１回転あたりのドリルの軸方向への移動量を示すチップロードは、２０μｍ／ｒｅｖ、３０μｍ／ｒｅｖ、３５μｍ／ｒｅｖ、４０μｍ／ｒｅｖとなる。
【００５６】
この試験条件により、各ドリル送り速度の条件について、各１０本の穴開けドリル１で実施した結果、４０００ピット（４０００穴）までドリルの刃先の欠けやドリル折れは発生せず、切屑の詰まりも発生しなかった。
【００５７】
一方、比較例として用いた従来型のドリルでは、特にチップロードが大きい場合において、ドリルの刃先の欠けやドリルの摩耗量が異常に大きくなった。また、その時の各ドリル送り速度による穴位置精度を示す穴位置精度は、図３に示す結果が得られた。
【００５８】
従来型のドリルと本発明のドリルとではドリル送り速度による影響が異なり、穴開けドリル１（図中、開発品）では、ドリル送り速度を大きくするにしたがい、穴位置精度は小さくなっていることがわかる。これに対し、従来型のドリル（図中、従来品）では、ドリル送り速度を大きくしても、その穴位置精度は大きい値であり、ほとんど変わらない結果となった。
【００５９】
この結果より、６０μｍを越える位置ずれはなく、良好な穴位置精度が得られた。特に、開発品において、ドリル送り速度４．２ｍ／ｍｉｎの場合での３０００ピット時の穴位置精度分布の結果を図４に示す。
【００６０】
また、各開けた穴の内壁の粗さを測定し、従来型のドリルと比較したところ、図５に示す結果が得られた。これによれば、従来品と開発品とでは穴位置精度と同様、ドリル送り速度による影響が異なり、穴開けドリル１（図中、開発品）では、各ドリル送り速度による内壁粗さは３．６ｍ／ｍｉｎで１０μｍ前後と小さくなり、その後ドリル送り速度を大きくしてもその内壁粗さは１０μｍ前後を維持していることがわかる。
【００６１】
この結果より、１５μｍを越える内壁粗さはなく、良好な内壁粗さが得られた。一方、従来型のドリルでは、ドリル送り速度を大きくすると、その内壁粗さはほぼ同等であり、そのバラツキは大きくなる結果となった。
【００６２】
以上、詳細に説明したように本実施の形態によれば、穴開けドリル１の形状をアンダーカット形状とし、各ドリル形状仕様についてドリルの強度を確保し、切屑排出性にも考慮した剛性の高い素材で構成している。
【００６３】
これにより、ドリル穴加工を行なう際のドリル送り速度を大きくさせても、加工後の穴位置精度及び加工後の基板内部の貫通孔の内壁粗さという加工品質が良好であり、また、加工後のドリルの刃先の欠け及びドリル折れも発生しないすぐれた穴開けドリル及びその穴開けドリルを用いた穴開け加工方法を実現している。
【産業上の利用可能性】
【００６４】
本発明にかかる穴開けドリルは、プリント配線板の穴加工を行なう際、ドリル送り速度を大きくさせても、加工後の穴位置精度及び基板内部の貫通孔の内壁粗さという加工品質が良好であり、また、加工後のドリルの刃先の欠け及びドリル折れも発生しないという効果を有している。また、加工後のドリルの刃先の欠け及びドリル折れ等の信頼性を高めることが必要なプリント配線板の製造プロセスに適した穴開けドリルとして適用することができる。よって本発明は、産業上の利用可能性が大といえる。
【図面の簡単な説明】
【００６５】
【図１】本発明の実施の形態における穴開けドリルの側面図
【図２】同実施の形態における穴開けドリルのアンダーカット部の断面図
【図３】同実施の形態における穴位置精度を示すグラフ
【図４】同実施の形態における穴位置精度分布図
【図５】同実施の形態における内壁粗さを示すグラフ
【符号の説明】
【００６６】
１  穴開けドリル
１１  溝
１２  溝間
２１  先端部
２２  アンダーカット部
３１  刃部
３２  シャンク部
ａ  溝間幅
ｂ  溝幅
ｗ  ウエブ厚
ｄ  ドリル径
ｕ  アンダーカット径
Ｌ  刃長
Ｍ  溝長
φ  先端角
θ  ネジレ角
λ  刃先二番角
【図１】
2005118923.tif 000003
【図２】
2005118923.tif 000004
【図３】
2005118923.tif 000005
【図４】
2005118923.tif 000006
【図５】
2005118923.tif 000007